(57)【要約】【課題】簡易かつ小型化を図ることができると共に、死角から広範囲の光を視認可能とする。【解決手段】入射光を複数回屈折させることによって、死角にある目的物を視認可能とする視認装置１０において、無色または有色の透光性材料により形成された柱体であって、高さ方向に対して垂直な断面形状が扇形であり、扇形の中心角が１８０度または２７０度である。また、視認装置１０の外周の曲面から光が入射し、２回屈折した光が視認装置１０の外周の曲面から出射することによって、死角にある目的物を視認可能とする。【選択図】図２
0003145549.tif 000002
【実用新案登録請求の範囲】
【請求項１】
入射光を複数回屈折させることによって、死角にある目的物を視認可能とする視認装置において、
無色または有色の透光性材料により形成された柱体であって、高さ方向に対して垂直な断面形状が扇形であり、扇形の中心角が１８０度または２７０度であることを特徴とする視認装置。
【請求項２】
前記柱体の外周の曲面から光が入射し、２回屈折した光が前記柱体の外周の曲面から出射することによって、死角にある目的物を視認可能とすることを特徴とする請求項１記載の視認装置。
【請求項３】
前記柱体の一部を収容する収容部と、
前記収容部に連結した把持部と、を更に備えることを特徴とする請求項１または請求項２記載の視認装置。
【考案の詳細な説明】
【技術分野】
【０００１】
本考案は、入射光を複数回屈折させることによって、死角にある目的物を視認可能とする視認装置に関する。
【背景技術】
【０００２】
従来、例えば、実用新案登録第３０４４１４７号公報には、建物等の曲がり角における視野の死角を補うコーナーミラーが開示されている。このコーナーミラーは、透明な筒の中に平面鏡または凸面鏡を有する構成を採る。そして、このコーナーミラーを建物等の曲がり角に設置することによって、歩行者等の死角にある物体の像を反射させて視認可能としている。このように、建物等の曲がり角における死角を無くすことにより、歩行者および車両等が視認できないことにより生ずる衝突事故を防止する。また、建物等の曲がり角における死角を無くすことにより、防犯を図っている。
【特許文献１】実用新案登録第３０４４１４７号公報
【考案の開示】
【考案が解決しようとする課題】
【０００３】
しかしながら、上記のコーナーミラーは、平面鏡または凸面鏡で死角に存在する物体を１回だけ反射させるものであるため、平面鏡または凸面鏡で反射できる光の範囲は限られたものとなる。このため、実際に死角にある物体を十分に視認可能とするためには、平面鏡または凸面鏡は、大きなものとしなければならず、装置全体が大型化してしまう。また、コーナーミラーが大型化してしまうと、建物等の曲がり角において、建物等から突出する度合いが大きくなり、歩行者等の安全な通行に影響が出る恐れもある。
【０００４】
本考案は、このような事情に鑑みてなされたものであり、簡易かつ小型化を図ることができると共に、死角から広範囲の光を視認可能とすることができる視認装置を提供することを目的とする。
【課題を解決するための手段】
【０００５】
（１）上記の目的を達成するために、本考案は、以下のような手段を講じた。すなわち、本考案の視認装置は、入射光を複数回屈折させることによって、死角にある目的物を視認可能とする視認装置において、無色または有色の透光性材料により形成された柱体であって、高さ方向に対して垂直な断面形状が扇形であり、扇形の中心角が１８０度または２７０度であることを特徴としている。
【０００６】
このように、無色または有色の透光性材料により形成された柱体であるため、入射した光を屈折させてから出射させることができる。また、柱体の高さ方向に対して垂直な断面形状が扇形であり、扇形の中心角が１８０度または２７０度であるため、建物等の曲がり角に装着した際に、突出する程度を小さくすることができ、装置の小型化を図ることが可能となる。
【０００７】
（２）また、本考案の視認装置において、前記柱体の外周の曲面から光が入射し、２回屈折した光が前記柱体の外周の曲面から出射することによって、死角にある目的物を視認可能とすることを特徴としている。
【０００８】
このように、柱体の外周の曲面から光が入射し、２回屈折した光が前記柱体の外周の曲面から出射することによって、死角にある目的物を視認可能とするので、死角から広範囲の光を視認可能とすることができる。広範囲の光を視認可能とするため、装置の小型化を図ることが可能となる。
【０００９】
（３）また、本考案の視認装置は、前記柱体の一部を収容する収容部と、前記収容部に連結した把持部と、を更に備えることを特徴としている。
【００１０】
このように、柱体の一部を収容する収容部と、収容部に連結した把持部と、を備えるので、建物等から着脱が自由にできるようになり、また、運搬も容易となる。このため、例えば、防犯上の理由から、建物の死角にいる被疑者の様子を、被疑者に気づかれることなく視認することが可能となる。
【考案の効果】
【００１１】
本考案によれば、無色または有色の透光性材料により形成された柱体であるため、入射した光を屈折させてから出射させることができる。また、柱体の高さ方向に対して垂直な断面形状が扇形であり、扇形の中心角が１８０度または２７０度であるため、建物等の曲がり角に装着した際に、突出する程度を小さくすることができ、装置の小型化を図ることが可能となる。
【考案を実施するための最良の形態】
【００１２】
（第１の実施形態）
図１は、第１の実施形態に係る視認装置の斜視図である。視認装置１０は、無色または有色の透光性材料、例えば、ガラスやアクリル等により形成された柱体である。視認装置１０は、カーブレンズと呼称される場合もある。この柱体は、例えば、ガラスやアクリル等により円柱を形成し、円柱の高さ方向に平行に切削し、または切断することで形成することができる。また、この柱体の高さを短くする場合は、円柱の高さ方向に切断すれば良い。視認装置１０は、図１に示すように、高さ方向に対して垂直な断面形状が扇形である。第１の実施形態では、扇形の中心角は１８０度である例を示している。なお、視認装置１０は、透光性を有する材料で形成されていれば、その種類は問われない。無色であっても良いし、赤、黄色、緑等の色を有していても良い。
【００１３】
図２は、視認装置１０の用例を示す図である。図２に示すように、視認装置１０を建物１１の角部に設置する。図２において、紙面に対して建物１１の上側に対象物１２がある。対象物１２を示す光の一部を光１２ａ〜１２ｃとすると、光１２ａは、点ａ１で視認装置１０に入射する。そして、点ａ１で屈折し、視認装置１０の内部を通る。次に、光１２ａは、点ａ２で屈折して出射する。同様に、光１２ｂは、点ｂ１で視認装置１０に入射する。そして、点ｂ１で屈折し、視認装置１０の内部を通る。次に、光１２ｂは、点ｂ２で屈折して出射する。また、同様に、光１２ｃは、点ｃ１で視認装置１０に入射する。そして、点ｃ１で屈折し、視認装置１０の内部を通る。次に、光１２ｃは、点ｃ２で屈折して出射する。このように、視認装置１０の外周の曲面から光が入射し、２回屈折した光が、視認装置１０の外周の曲面から出射することによって、対象物１２の像１３が、紙面に対して視認装置１０の下方に形成される。その結果、像１３の位置で、死角にある対象物１２を視認することが可能となる。
【００１４】
図３は、視認装置１０を収容部１０ａに収容した様子を示す斜視図である。収容部１０ａは、一端が開口し、他端に閉塞面を有する。収容部１０ａは、開口側で視認装置１０の一部を収容する。また、収容部１０ａの閉塞面側には、収容部１０ａと連結した把持部１０ｂが設けられている。このように、視認装置１０を、収容部１０ａに収容することによって、使用者は、視認装置１０を運搬し易くなる。また、使用者は、把持部１０ｂを持つことによって、必要な位置に視認装置１０を持っていくことが容易となる。その結果、例えば、防犯上の理由から、建物の死角にいる被疑者の様子を、被疑者に気づかれることなく視認することが可能となる。
【００１５】
（第２の実施形態）
図４は、第２の実施形態に係る視認装置の斜視図である。視認装置２０は、第１の実施形態と同様に、無色または有色の透光性材料、例えば、ガラスやアクリル等により形成された柱体である。この柱体は、例えば、ガラスやアクリル等により円柱を形成し、円柱の高さ方向に平行に切削することで形成することができる。また、この柱体の高さを短くする場合は、円柱の高さ方向に切断すれば良い。視認装置２０は、図２に示すように、高さ方向に対して垂直な断面形状が扇形である。第２の実施形態では、扇形の中心角は２７０度である例を示している。これは、建物の角が９０度であることに配慮した結果である。なお、視認装置２０は、透光性を有する材料で形成されていれば、その種類は問われない。無色であっても良いし、赤、黄色、緑等の色を有していても良い。
【００１６】
図５は、視認装置２０の用例を示す図である。図５に示すように、視認装置２０を建物１１の角部に設置する。第１の実施形態と異なるのは、視認装置２０の断面形状が、中心角２７０度の扇形となっているため、建物１１の角部を覆うように設けられることである。図５において、紙面に対して建物１１の上側に対象物２２がある。対象物２２を示す光の一部を光２２ａ〜２２ｃとすると、光２２ａは、点ｄ１で視認装置２０に入射する。そして、点ｄ１で屈折し、視認装置２０の内部を通る。次に、光２２ａは、点ｄ２で屈折して出射する。同様に、光２２ｂは、点ｅ１で視認装置２０に入射する。そして、点ｅ１で屈折し、視認装置２０の内部を通る。次に、光２２ｂは、点ｅ２で屈折して出射する。また、同様に、光２２ｃは、点ｆ１で視認装置２０に入射する。そして、点ｆ１で屈折し、視認装置２０の内部を通る。次に、光２２ｃは、点ｆ２で屈折して出射する。このように、視認装置２０の外周の曲面から光が入射し、２回屈折した光が、視認装置２０の外周の曲面から出射することによって、対象物２２の像２３が、紙面に対して視認装置２０の下方に形成される。その結果、像２３の位置で、死角にある対象物２２を視認することが可能となる。
【００１７】
以上説明したように、本実施形態によれば、視認装置１０および２０は、無色または有色の透光性材料により形成された柱体であるため、入射した光を屈折させてから出射させることができる。また、柱体の高さ方向に対して垂直な断面形状が扇形であり、扇形の中心角が１８０度または２７０度であるため、建物等の曲がり角に装着した際に、突出する程度を小さくすることができ、装置の小型化を図ることが可能となる。
【図面の簡単な説明】
【００１８】
【図１】第１の実施形態に係る視認装置の斜視図である。
【図２】視認装置１０の用例を示す図である。
【図３】視認装置１０を収容部１０ａに収容した様子を示す斜視図である。
【図４】第２の実施形態に係る視認装置の斜視図である。
【図５】視認装置２０の用例を示す図である。
【符号の説明】
【００１９】
１０  視認装置
１０ａ  収容部
１０ｂ  把持部
１１  建物
１２  対象物
１３  像
２０  視認装置
２２  対象物
２３  像
【図１】
0003145549.tif 000003
【図２】
0003145549.tif 000004
【図３】
0003145549.tif 000005
【図４】
0003145549.tif 000006
【図５】
0003145549.tif 000007